(57)【要約】  移動端末は、無線通信回路と動作可能に関連付けられ、移動端末外のコンテンツへの埋め込みリンクを含むポッドキャストを格納する構成を有するプロセッサを含む。前記プロセッサは更に、移動端末の通信状態及び／または移動端末のユーザインタフェースの構成に応じて、埋め込みリンクの活性化を制御するように構成される。例えば、通信状態は、移動端末とコンテンツの格納場所間で通信可能であること、または、特定の通話及び／またはメッセージが存在することを含んでいても良い。前記ユーザインタフェースの構成は、例えば、現在の表示モードまたは端末の物理的な配置を含む。
2009521835.tif 000002
【特許請求の範囲】
【請求項１】
無線通信インタフェース回路と、
無線通信回路と動作可能に関連付けられ、移動端末外のコンテンツへの埋め込みリンクを含むポッドキャストを格納し、前記移動端末の通信状態及び／または前記移動端末のユーザインタフェースの構成に応じて前記埋め込みリンクの活性化を制御するように構成されたプロセッサと
を有することを特徴とする移動端末。
【請求項２】
前記通信状態は、前記移動端末とコンテンツの格納場所間で通信可能であること、及び／または、通話及び／またはメッセージが存在していることを含むことを特徴とする請求項１に記載の移動端末。
【請求項３】
前記移動端末は、複数の表示モードを有するディスプレイを更に含み、前記プロセッサは、前記移動端末の現在の表示モードに応じて、前記埋め込みリンクの活性化の制御を行うように構成されていることを特徴とする請求項１に記載の移動端末。
【請求項４】
前記移動端末は、複数の物理的な配置間で変更可能な筐体を更に有し、前記プロセスは、前記筐体の現在の物理的な配置に応じて前記埋め込みリンクの活性化の制御を行うように構成されていることを特徴とする請求項１に記載の移動端末。
【請求項５】
前記プロセッサは、前記通信状態及び／または前記ユーザインタフェースの構成に応じて、リンクの選択を有効／無効にするように構成されていることを特徴とする請求項１に記載の移動端末。
【請求項６】
前記プロセッサは、前記通信状態及び／または前記移動端末の前記ユーザインタフェースの構成に応じて、前記ポッドキャストの再生中の前記埋め込みリンクの活性化を制御するように構成されていることを特徴とする請求項１に記載の移動端末。
【請求項７】
移動端末の外部に格納されたコンテンツへの埋め込みリンクを含むポッドキャストを前記移動端末に格納する工程と、
前記移動端末の通信状態に応じて埋め込みリンクの活性化を制御する工程と
を含むことを特徴とする方法。
【請求項８】
前記通信状態は、通話及び／またはメッセージがあること含むことを特徴とする請求項７に記載の方法。
【請求項９】
前記通信状態は、前記移動端末と前記コンテンツの格納場所との間で通信が可能であることを含むことを特徴とする請求項７に記載の方法。
【請求項１０】
前記移動端末の通信状態に応じて前記埋め込みリンクの活性化を制御することは、前記通信状態に応じて、リンクの選択を有効または無効にすることを含むことを特徴とする請求項７に記載の方法。
【請求項１１】
前記埋め込みリンクは、ハイパーリンクを含むことを特徴とする請求項１０に記載の方法。
【請求項１２】
前記移動端末の通信状態に応じて埋め込みリンクの活性化を制御することは、前記ポッドキャストの再生中に埋め込みリンクの活性化を制御することを含むことを特徴とする請求項７に記載の方法。
【請求項１３】
前記移動端末の通信状態に応じて前記埋め込みリンクの活性化の制御することは、前記移動端末の前記通信状態と、前記移動端末のユーザインタフェースの構成とに応じて前記埋め込みリンクの活性化を制御すること含むことを特徴とする請求項７に記載の方法。
【請求項１４】
請求項７に記載された方法を実行するために構成された移動端末。
【請求項１５】
コンピュータ可読媒体上で実現される、請求項７の方法を実行するためのコンピュータプログラムコードを含んだ、コンピュータプログラムコードを含むコンピュータプログラム。
【請求項１６】
移動端末の外部に格納されたコンテンツへの埋め込みリンクを含むポッドキャストを前記移動端末に格納し、
前記移動端末のユーザインタフェースの構成に応じて、前記埋め込みリンクの活性化を制御する
ことを特徴とする方法。
【請求項１７】
前記移動端末は複数の表示モードを有し、前記移動端末のユーザインタフェースの構成に応じて前記埋め込みリンクの活性化を制御することは、前記移動端末の現在の表示モードに応じて前記埋め込みリンクの活性化を制御することを含むことを特徴とする請求項１６に記載の方法。
【請求項１８】
前記移動端末は、複数の物理的な配置間で変更可能な筐体を有し、前記移動端末のユーザインタフェースの構成に応じて前記埋め込みリンクの活性化を制御することは、前記移動端末の筐体の現在の物理的な配置に応じて前記埋め込みリンクの活性化を制御することを含むことを特徴とする請求項１６に記載の方法。
【請求項１９】
前記移動端末のユーザインタフェースの構成に応じて前記埋め込みリンクの活性化を制御することは、前記ユーザインタフェースの構成に応じて前記リンクの選択を有効または無効にすることを特徴とする請求項１６に記載の方法。
【請求項２０】
前記埋め込みリンクは、ハイパーリンクを含むことを特徴とする請求項１９に記載の方法。
【請求項２１】
前記移動端末のユーザインタフェースの構成に応じた前記埋め込みリンクの活性化を制御することは、前記ポッドキャストの再生中に、前記埋め込みリンクの活性化を制御することを含むことを特徴とする請求項１６に記載の方法。
【請求項２２】
前記移動端末のユーザインタフェースの構成に応じた前記埋め込みリンクの活性化を制御することは、前記ユーザインタフェースの構成と、前記移動端末の通信状態に応じて、前記埋め込みリンクの活性化を制御することを含むことを特徴とする請求項１６に記載の方法。
【請求項２３】
請求項１６に記載の方法を実行することを特徴とする移動端末。
【請求項２４】
コンピュータ可読媒体上で実現される、請求項１６の方法を実行するためのコンピュータプログラムコードを含んだ、コンピュータプログラムコードを含むコンピュータプログラム。
【発明の詳細な説明】
【技術分野】
【０００１】
発明の背景
本発明は移動端末に関し、更に詳しくは、メディアコンテンツに関連した移動端末の制御に関する。
【背景技術】
【０００２】
移動端末は、通常、ユーザがセルラー網通信プロバイダーを介して、無線電話サービスを得るために購入する。しかしながら、移動端末の能力は、従来であれば、例えば、メディアプレーヤー、パーソナルコンピュータ（ＰＣ）、ＰＤＡ（personal digital assistants）などのみに搭載されていた機能を実行できるところまで多様化している。
【０００３】
例えば、今日では、マルチメディア機能を有する移動端末が存在する。例えば、移動端末にラジオチューナー機能をつけることができる。いくつかの移動端末は、例えば、インターネットウェブサイトや記録媒体からダウンロードされたＭＰ３フィアルや「ポッドキャスト」などのデジタルオーディオ及び／またはビデオファイルを再生する機能も有する。
【０００４】
ポッドキャスティングは、インターネットを介して、典型的にはオーディオプログラムなどのコンテンツを発表するための技術である。ポッドキャスティングは、典型的には、添付ファイルを届けるために、ＸＭＬ  ＲＳＳ（例えば、Really Simple Syndication）やAtomフォーマットのファイルなどの「フィード」を用いる。例えば、独立系プロデューサは、自費出版の通信社を通じて発表する「ショー」を制作するために、ポッドキャスティングを用いることができる。視聴者は、定期的に新たなコンテンツを確認してダウンロードするアグリゲータソフトウェアを用いて、「フィード」を定期購読することができる。典型的なアグリゲータは、ユーザがポッドキャストを携帯音楽プレーヤーやその他の携帯メディアプレーヤーにコピーすることを可能にする。ポッドキャストのコンセプトはオーディオ及び／または視覚コンテンツの伝送を網羅するものと見なすことができるが、ポッドキャストは、一般的には、オーディオコンテンツを含むと見なされている。「拡張」ポッドキャストは、画像（例えば、ＪＰＧファイル）及びＨＴＭＬ（hypertext markup language）リンクを更に含めることができる。
【発明の開示】
【０００５】
発明の要旨
本発明のいくつかの実施形態によれば、移動端末は、無線通信回路と、無線通信回路と動作可能に関連するとともに、移動端末の外部にあるコンテンツへの埋め込みリンクを含むポッドキャストを格納する構成を有するプロセッサを有する。プロセッサは、更に、移動端末の通信状態及び／または移動端末のユーザインタフェースの構成に応じて埋め込みリンクの活性化を制御するように構成される。例えば、いくつかの実施形態では、通信状態は、移動端末とコンテンツの格納場所間の通信が利用可能であること、または、特定の通話及び／またはメッセージが存在することを含む。更なる実施形態では、移動端末は複数の表示モードを有するディスプレイを更に含み、プロセッサは、移動端末の現在の表示モードに応じて、埋め込みリンクの活性化を制御するように構成される。例えば、移動端末は複数の物理的な配置の中から変更可能な筐体を含み、プロセッサは筐体の現在の物理的な配置に応じて、埋め込みリンクの活性化を制御する様に構成されている。
【０００６】
いくつかの実施形態では、プロセッサは、通信状態及び／またはユーザインタフェースの構成に応じてリンクの選択を可能または無効にする。プロセッサを、ポッドキャストの再生中に通信状態及び／または移動端末のユーザインタフェースの構成に応じて埋め込みリンクの活性化を制御するように構成しても良い。
【０００７】
本発明の更なる実施形態では、移動端末を駆動する方法を提供している。移動端末の外部に格納されたコンテンツへの埋め込みリンクを含むポッドキャストは、移動端末に格納される。埋め込みリンクの活性化は、移動端末の通信状態に応じて制御される。例えば、通信状態は、通話及び／またはメッセージの存在、及び／または移動端末とコンテンツの格納場所との間で通信ができることを含んでいても良い。埋め込みリンクの活性化制御は、例えば、自動的に及び／またはユーザ入力により、通信状態に応じてリンクの選択を可能または無効にすることを含んでもよい。そのような動作を行う移動端末及びコンピュータプログラムも提供される。
【０００８】
本発明の更なる実施形態によれば、移動端末の外部に格納されたコンテンツへの埋め込みリンクを含むポッドキャストを、移動端末に格納する方法を提供する。埋め込みリンクの活性化は、移動端末のユーザインタフェースの構成に応じて制御される。例えば、移動端末は複数の表示モジュールを有し、移動端末のユーザインタフェースの構成に応じて、埋め込みリンクを活性化する制御は、移動端末の現在の表示モードに応じて埋め込みリンクの活性化を制御することを含んでも良い。更なる別の実施形態によれば、移動端末は、複数の物理的な配置の中で変更可能な筐体を含んでいても良く、また、移動端末のユーザインタフェースの構成に応じた埋め込みリンクの活性化制御は、移動端末の筐体の現在の物理的な配置に応じた埋め込みリンクの活性化制御を含む。移動端末のユーザインタフェースの構成に応じた埋め込みリンクの活性化制御は、ユーザインタフェースの構成に基づいてリンクの選択を可能または無効にすることを含む。そのような処理を行うように構成された移動端末及びコンピュータプログラム製品も提供される。
【発明を実施するための最良の形態】
【０００９】
実施形態の詳細な説明
本発明の特定の例示的な実施形態について、添付図面を参照して説明する。しかしながら、本発明は多くの異なる形態で実施可能であり、ここで述べられる実施形態に限られると解釈されるべきではない。むしろ、これらの実施形態は、この開示が全体亘って完全なものとなるように提供され、当業者に本発明の範囲を完全に提供するであろう。添付図面で表される特定の例示的な実施形態の詳細な説明で用いられる用語は、発明を制限することを意図するものではない。図に於いては、同様の番号は同様の構成を示している。
【００１０】
ここで、単数の「ａ」、「ａｎ」、「ｔｈｅ」は、特に断りが無い限り、複数を含むものとする。また、なお、「有する」「含む」「有している」及び／または「含んでいる」という言葉は、本明細書で使用された場合、言及された特徴、整数、工程、動作、要素及びまたは構成要素の存在を特定するために用いられるが、これら以外の特徴、整数、工程、動作、要素、構成要素、及び／またはこれらのグループの存在又は追加を排除するものではない。また、ある構成が別の構成に「接続された」または「つながれた」と表現された場合、別の構成に直接接続または繋がれるか、または中間の構成が介在していることは理解されるであろう。更にここで「接続された」または「つながれた」と表現された場合、無線による接続または繋がれたことを含む。また、ここで用いられるように、「及び／または」という言葉は、関連するリストされた要素の１以上のいくつか及び全ての組み合わせを含む。
【００１１】
特に定義されない限り、ここで用いられる全ての用語（技術的、科学的用語を含む）は、本発明が属する技術の当業者によって共通して理解される意味を有する。また、一般的に使用される辞書において定義される用語は、同等の技術の背景におけるそれらの用語の意味と一致する意味を有するものと理解されるべきであり、特に定義されない限りは、理想的または過度に形式的な意味として解釈されるべきではない。
【００１２】
ここで説明する本発明の実施形態は、ポッドキャストにおける埋め込みリンクの活性化の制御に関する。ここで用いられるように、「ポッドキャスト」は、これに限られるものではないが、携帯機器上で再生するための携帯電子機器（例えば、iPod（登録商標）またはその他の音楽プレーヤー、パーソナルデジタルアシスタント（ＰＤＡ）、移動端末、または、その他の携帯電子機器）にダウンロードされるように構成された、オーディオ及び／または視覚コンテンツファイル（またはファイルの集まり）を含む。ここで用いられるように「移動端末」は、通信システムにおいて端末として動作する携帯電子機器を含み、これに限られるものではないが、セルラー電話、ＰＤＡ、ノートブック型コンピュータ、メディアプレーヤー機器及び移動通信能力を有する他のパーソナル電子機器を含んでいても良い。
【００１３】
本発明のいくつかの実施形態は、セルラー電話などの移動端末が、埋め込まれたポッドキャストリンクのコンテンツにアクセスする通信能力を有するということに基づいており、端末が現在置かれたやり方に基づいて、そのようなリンクを選択的に活性化すると有益であろう。例えば、ポッドキャスト再生能力を有する「折りたたみ」または「フリップ」型のセルラー電話を有するユーザは、電話を「閉じた」状態にしたまま、ジョギングやウォーキングなどの活動中にポッドキャストを聞くであろう。そのような場合、ポッドキャストにおけるポッドキャストリンクを無効にしておくとよい。例えば、ポッドキャスト再生時にそのようなリンクが自動的に選択されると、端末は、ユーザがダウンロードされたコンテンツを見ることができないにも関わらず、ポッドキャストに関連付けられた画像などの視覚コンテンツを不必要にダウンロードしようとするであろう。これは、システムの帯域幅を無駄にしてしまうことにもなる。加えて、そのような構成では、ユーザは、例えばハイパーリンク等の表示されたリンクを選択することができず、リンクの活性化を実行不可能にしてしまう。または、参照されたマテリアルを検索するための適切な通信リソースを使用できないために、リンクの活性化は不必要であるかも知れない。例えば、ユーザの端末が、電波の良くない領域や望まない利用料を課すようなローミングモードにあるかも知れない。ユーザの端末が、端末でゲームやポッドキャストを使用しても良いが、無線機能を使用できない「飛行機」モードにあるかも知れない。他の例では、端末は無線信号を送ることができるが、リンクによって参照されるコンテンツを格納するためのメモリ容量が十分に無いかも知れない。更に別の例では、埋め込みリンクの使用を選択的に認可する端末の通信能力を利用することが好ましい。
【００１４】
図１は、本発明のいくつかの実施形態にかかる移動端末１００を示す。移動端末１００は、例えば、セルラー電話網または無線ＬＡＮ（local area network、ＷＬＡＮ)等の、移動端末１００の外部にあるものと無線通信を行うように構成された、無線通信回路１１０を含む。移動端末１００は、また、無線通信回路１１０に動作可能に関連付けられたプロセッサ１２０、例えば、無線通信回路１１０を介して、データを通信ネットワークへ送信及び受信するプロセッサ１２０を含む。プロセッサ１２０は、例えば、プロセッサ１２０で実行するプログラムコード及び／またはプロセッサ１２０により操作されるデータを格納するように構成されたメモリ１３０にも動作可能に関連付けられている。ユーザインタフェース１４０は、プロセッサ１２０にも動作可能に関連付けられており、例えば、ディスプレイ、キーパッド、タッチパッド、バイブレータ、ＬＥＤ(light emitting diode)、スピーカなどを含んでいてもよい。いくつかの実施形態では、移動端末１００は、異なる表示モードなどの複数の異なるユーザインタフェースモード、または、例えば、「フリップ」型電話、「スイベル」式電話、または、フリップダウンキーボードや他の移動ユーザインタフェース特性を備えた端末において提供される、異なる物理的な配置を提供するように構成してもよい。そのような場合、ユーザインタフェース１４０は、センサやスイッチなどの、端末１００の現在のユーザインタフェース構成を判断するための手段も有する。
【００１５】
記載した実施形態では、プロセッサ１２０は、例えば、無線通信回路１１０を介してポッドキャスト１３２を受信（ダウンロード）し、ポッドキャストをメモリ１３０に格納するように構成される。ダウンロードされたポッドキャスト１３２は、例えば、ハイパーリンクまたはポッドキャスト外部へのコンテンツへのリンクなどの埋め込みリンク１３３を含む。例えば、リンク１３３は、ウェブサイトまたは、ポッドキャストのオーディオ及び／または視覚コンテンツを補充するコンテンツを保持するその他の格納場所へのリンクである。リンク活性化制御アプリケーション１２２はプロセッサ１２０に常駐しても良く、例えば、ポッドキャスト１３２がポッドキャストプレゼンテーションアプリケーション１２４によりプレゼンテーションされた時に、リンク１３３の活性化を制御するようにしてもよい。リンク活性化制御アプリケーション１２２及びポッドキャストプレゼンテーションアプリケーション１２４は、例えば、メディアプレゼンテーションアプリケーション等のアプリケーションに統合されたサブアプリケーションであってもよいことは自明であろう。
【００１６】
本発明のいくつかの実施形態では、リンク活性化の制御は、端末の通信状態の変化及び／または端末のユーザインタフェースの構成に変化があったときに、リンクにより特定されるコンテンツの検索を実際にトリガすることを含む。本発明のいくつかの実施形態では、ポッドキャストリンクの「活性化」は、いくつかの他のイベントに応じてコンテンツが検索されるように、リンクの選択を有効または無効にすることを含んでもよい。例えば、埋め込みリンクは、リンクにより特定されるコンテンツを検索するために、移動端末のユーザにより選択されるように、再生中に表示されることによって活性化されるハイパーリンクであってもよい。リンクは、また、ポッドキャストが再生されると、特定されたコンテンツを検索するために自動的に「選択される」リンクであってもよい。リンク活性化制御技術に加えて、リンクの活性化は、他のイベント及び動作に依存して行われるようにしても構わない。例えば、本発明のいくつかの実施形態では、リンクの活性化は、別のリンクの以前の活性化に依存する。
【００１７】
いくつかの実施形態では、リンクの活性化の制御は、例えば、端末１００のディスプレイにおけるリンク１３３の表示の許可または抑制、及び／またはあるユーザ入力能力（例えば、キーパッドの押下またはその他の入力）を有効または無効にする、といった、ユーザインタフェースの特徴の制御を伴う。リンク活性化制御アプリケーション１２２は、例えば、移動端末１００の通信状態に応じたリンク１３３の活性化を制御する。そのような通信状態は、例えば、端末１００とリンク１３３により参照されるコンテンツが有る場所との間で通信可能であるか（例えば、セルラーまたは無線ＬＡＮサービス、及び／またはそのようなサービスの帯域幅または他のqualities があるか）、または通話及び／またはテキストメッセージ（例えば、リンク１３３の使用を可能にするセキュリティ認可メッセージ）の存在を含む。更に別の実施形態によれば、リンク活性化制御アプリケーション１２２は、移動端末１００のユーザインタフェースの構成に応じたリンク１３３の活性化を制御する。例えば、リンク活性化制御アプリケーション１２２は、表示モード及び／または移動端末１００の物理的な配置に基づいて、リンクの活性化を制御する。
【００１８】
図２は、本発明のいくつかの実施形態におけるポッドキャストリンクの活性化を制御するための動作例を示す。移動端末は、埋め込みリンクを含むポッドキャストをダウンロードして、格納する（ブロック２１０）。端末のユーザは、例えば、キーパッド入力により、ポッドキャストの再生をリクエストする（ブロック２２０）。移動端末は、リンクの活性化のための適切な通信状態が存在するかを判断する（ブロック２３０）。例えば、いくつかの実施形態では、端末はリンクによって参照されるコンテンツへのアクセスをサポートする、適切なセルラーまたは無線ＬＡＮサービスが提供されているかを判断する。別の実施形態では、端末は、適切な着信中を受けたことがあるか、または着信中であるか、及び／または適切な音声またはテキストメッセージを受けたことがあるか、を判断する。もし、通信状態が適切である場合、移動端末はリンクを活性化する（ブロック２５０）、例えば、ポッドキャストの再生中に、リンクの自動及び／またはユーザ選択ができるようにする（ブロック２６０）。適切でない場合には、ポッドキャストの再生中（ブロック２６０）にリンクがトリガされないように、リンクは非活性化される（ブロック２４０）。このように、ポッドキャストの再生中、端末は（例えば、定期的に）現在の通信状態をチェックし（ブロック２３０）、その判断に応じて、埋め込みリンクを活性化及び／または比活性化する。
【００１９】
図３は、本発明の更なる実施形態におけるポッドキャストリンクの活性化を制御するための動作例を示す図である。移動端末は、埋め込みリンクを含むポッドキャストをダウンロードして格納する（ブロック３１０）。端末のユーザは、例えば、キーパッド入力により、ポッドキャストの再生をリクエストする（ブロック３２０）。移動端末は、端末がリンクの活性化のために適切なユーザインタフェースの構成にあるかを判断する（ブロック３３０）。例えば、いくつかの実施形態において、端末は、現在表示モードにあるか、または、リンクに適した物理的な配置にあるかを判断する。ユーザインタフェースの構成が適切である場合、移動端末はリンクを活性化する（ブロック３５０）、例えば、ポッドキャストの再生中に、リンクの自動及び／またはユーザ選択が出来るようにする（ブロック３６０）。適切でない場合には、ポッドキャストの再生中（ブロック３６０）にリンクが活性化されないように、リンクは非活性化される（ブロック３４０）。このように、ポッドキャストの再生中、端末は（例えば定期的に）現在のユーザインタフェースの構成をチェックし（ブロック３３０）、この判断に基づいて、埋め込みリンクを活性化及び／または非活性化する。
【００２０】
図４ａ及び図４ｂは、上述したポッドキャストリンク活性化制御を使用できる、複数の物理的な配置が可能な移動端末４００を示す図である。図４ａに示すように、端末４００の筐体４０５は、第１のモードに於いて、閉じた位置で端末４００のディスプレイ４１０の一部を覆う、移動端末４００のフリップダウンキーパッド４２０を含む。このモードでは、端末４００はディスプレイ４１０上のグラフィックコンテンツを、より少ない画面領域を用いるように制御する。このようなモードでは、リンクの表示がディスプレイ４１０の削減された活性領域上の有効な空間を無駄にしてしまうため、埋め込まれたポッドキャストリンクを非活性化することが好ましい。または、フリップダウンキーパッド４２０が端末筐体４０５のボディに対向し、特定キーまたは他のユーザ入力機器へのユーザアクセスの障害となるため、リンクを非活性化することが好ましい。図４ｂでは、キーパッド４２０をフリップダウンすることによって端末４００がリアレンジされると、ディスプレイ４１０上の更なる画面領域及びフリップダウンキーパッド４２０の「裏側」にあるキーにアクセスすることが可能になる。この場合、埋め込まれたポッドキャストリンクを活性化する（例えば、表示及び／または選択を有効とする）ことは理解されるであろう。
【００２１】
図５ａ及び図５ｂは、本発明の更なる実施形態にかかる、ポッドキャストリンクの活性化を制御するための、移動端末の物理的な配置及び／または表示モードを使用する他の例を示す。「折りたたみ」型移動端末５００は、第１及び第２のディスプレイ５１０ａ、５１０ｂ、及びキーパッド５２０を保持する筐体５０５を含む。筐体５０５は、第１のディスプレイ５１０ａ及びキーパッド５２０が隠れる閉じた位置と、第１のディスプレイ５１０とキーパッド５２０にアクセス可能な開いた位置との間で変更可能に構成されている。閉じた位置では、例えば、第２のディスプレイ５１０ｂの領域が狭い及び／またはキーパッド６２０へのアクセスができないので、ポッドキャストリンクを非活性化することが好ましい。しかし、筐体５０５が開かれると、ポッドキャストリンクを活性化することが好ましい。
【００２２】
図６は、本発明の更なる実施形態におけるポッドキャストリンクの活性化を制御するための動作例を示す図である。移動端末は、埋め込みリンクを含むポッドキャストをダウンロードして格納する（ブロック６１０）。例えば、キーパッド入力によりポッドキャストの再生が開始される（ブロック６２０）。再生中、移動端末が、通信状態の変化（例えば、通話またはテキストメッセージの受信）及び／またはユーザインタフェースの構成の変化（例えば、ディスプレイモードまたは端末の物理的な配置の変化）を検知すると、端末は、リンクにより特定されるコンテンツを検索するために、リンクを活性化する（ブロック６３０、６４０）。このように、ポッドキャストの再生が続くと、追加リンクの活性化が起きる（ブロック６５０、６３０、６４０）。図２から図６に示される例は、説明のために提供されるものであって、ポッドキャストリンクの活性化は、本発明の範囲において多くの他の方法によって制御されることは理解されるであろう。
【００２３】
本発明は、方法、システム、及びコンピュータプログラム製品として実現される。従って、本発明をハードウェア、ソフトウェア、またはその組み合わせにより実現してもよい。更に、本発明は、媒体として実現されるコンピュータが使用可能なプログラムコードを有する、コンピュータが使用可能な記録格納媒体上の、コンピュータプログラム製品の形態を取ることもできる。適用できる格納メディアは、これらに限られるものでは無いが、ハードディスク、ＣＤ−ＲＯＭ、光記録デバイス、磁気記録デバイスを含む。
【００２４】
本発明の動作を実行するためのコンピュータプログラムコードは、Ｊａｖａ（登録商標）、Smalltalk、またはＣ++などのオブジェクト指向プログラミング言語で記述される。しかし、本発明の動作を実行するためのコンピュータプログラムコードは、「Ｃ」プログラミング言語及び／またはより下層のアセンブラ言語等の従来の手続き型プログラミング言語で記述しても良い。プログラムコードはユーザのコンピュータ（つまり、ユーザの移動端末のコントローラ）で全て実行しても、その一部をユーザのコンピュータで実行しても、スタンドアローンソフトウェアパッケージとして実行しても、一部をユーザのコンピュータで実行し、一部を遠隔地にあるコンピュータで実行しても、全てを遠隔地にあるコンピュータで実行しても良い。後者においては、遠隔地にあるコンピュータを、ローカルエリアネットワーク（ＬＡＮ）またはワイドエリアネットワーク（ＷＡＮ）を介してユーザのコンピュータに接続しても、外部コンピュータ（例えば、インターネットサービスプロバイダーを使用するインターネットを介して）へ接続してもよい。
【００２５】
また、本発明は、上記において、その一部を本発明の実施形態にかかる方法、装置（システム）及びコンピュータプログラム製品のフローチャート及び／またはブロック図を参照して説明した。フローチャートの各ブロック及び／またはブロック図、及びフローチャート及び／またはブロック図におけるブロックの組み合わせは、コンピュータプログラム命令により実施することができることは、理解されるであろう。これらのコンピュータプログラム命令は、コンピュータまたはその他のプログラム可能データ処理装置のプロセッサを介して実行される命令が、フローチャート及び／またはブロック図のブロックにおいて特定される機能及び動作を実現するための手段を生成するように、汎用コンピュータ、専用コンピュータ、または機器を作成する他のプログラム可能データ処理装置のプロセッサに供給される。
【００２６】
これらのコンピュータプログラム命令も、コンピュータ可読メモリに格納された命令が、フローチャート及び／またはブロック図のブロックにおいて特定される機能／動作を実現する命令手段を含む製品を生成するように、コンピュータまたは他のプログラム可能データ処理装置に、特定の方法で動作させることができるコンピュータ可読メモリに格納される。
【００２７】
コンピュータプログラム命令はまた、コンピュータまたは別のプログラム可能なデータ処理装置にロードされることによって、コンピュータまたは他のプログラム可能な装置において実行される命令が、フローチャート及び／またはブロック図のブロックにおいて特定される機能／動作を実行するためのステップを提供するように、一連の動作ステップをコンピュータまたは別のプログラム可能なデータ処理装置に実行させ、コンピュータ実施可能なプログラムを生成する。
【００２８】
ここで、フローチャート及び概略図は、本発明のいくつかの実施形態の構成、機能、及び動作を示している。従って、各ブロックは、コードのモジュール、セグメント、または一部を表しており、特定の論理機能を実現するための、実行可能な１以上の命令を含む。なお、別の実現例において、ブロックで示される機能は、図に記される順番とは違う順番で起こってもよい。例えば、機能に応じて、連続して示される２つのブロックを実際にはほぼ同時に実行したり、ブロックの実行順を逆にすることもある。
【００２９】
図面及び明細書において、本発明の実施形態の例を記載してきた。特定の用語が用いられているが、それらは一般的且つ説明的な意味において用いられており、制限する目的で用いられているものではなく、本発明の範囲は、以下の請求項によって定義されるものである。
【図面の簡単な説明】
【００３０】
【図１】図１は、本発明のいくつかの実施形態にかかる、選択的なポッドキャストリンクの活性化を示す移動端末の概略ブロック図である。
【図２】、
【図３】図２及び３は、本発明の様々な実施形態にかかる、移動端末における選択的なポッドキャストリンクの活性化のための動作を示すフローチャートである。
【図４ａ】、
【図４ｂ】、
【図５ａ】、
【図５ｂ】図４及び図５は、本発明のいくつかの実施形態にかかる、ポッドキャストリンクの活性化を制御するために用いることができる、移動端末のためのユーザインタフェースの再構成の一例を示す。
【図６】図６は、本発明の更なる実施形態にかかる、移動端末における選択的なリンクの活性化のための動作を示すフローチャートである。
【図１】
2009521835.tif 000003
【図２】
2009521835.tif 000004
【図３】
2009521835.tif 000005
【図４ａ】
2009521835.tif 000006
【図４ｂ】
2009521835.tif 000007
【図５ａ】
2009521835.tif 000008
【図５ｂ】
2009521835.tif 000009
【図６】
2009521835.tif 000010
【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
無線通信インタフェース回路と、
無線通信回路と動作可能に関連付けられ、移動端末外のコンテンツへの埋め込みリンクを含むポッドキャストを格納し、前記移動端末の通信状態及び／または前記移動端末のユーザインタフェースの構成に応じて前記埋め込みリンクの活性化を制御するように構成されたプロセッサと
を有することを特徴とする移動端末。
【請求項２】
前記通信状態は、前記移動端末とコンテンツの格納場所間で通信可能であること、及び／または、通話及び／またはメッセージが存在していることを含むことを特徴とする請求項１に記載の移動端末。
【請求項３】
前記移動端末は、複数の表示モードを有するディスプレイを更に含み、前記プロセッサは、前記移動端末の現在の表示モードに応じて、前記埋め込みリンクの活性化の制御を行うように構成されていることを特徴とする請求項１に記載の移動端末。
【請求項４】
前記移動端末は、複数の物理的な配置間で変更可能な筐体を更に有し、前記プロセッサは、前記筐体の現在の物理的な配置に応じて前記埋め込みリンクの活性化の制御を行うように構成されていることを特徴とする請求項１に記載の移動端末。
【請求項５】
前記プロセッサは、前記通信状態及び／または前記ユーザインタフェースの構成に応じて、リンクの選択を有効／無効にするように構成されていることを特徴とする請求項１に記載の移動端末。
【請求項６】
前記プロセッサは、前記通信状態及び／または前記移動端末の前記ユーザインタフェースの構成に応じて、前記ポッドキャストの再生中の前記埋め込みリンクの活性化を制御するように構成されていることを特徴とする請求項１に記載の移動端末。
【請求項７】
移動端末の外部に格納されたコンテンツへの埋め込みリンクを含むポッドキャストを前記移動端末に格納する工程と、
前記移動端末の通信状態に応じて、埋め込みリンクの活性化を制御する工程と
を含むことを特徴とする方法。
【請求項８】
移動端末の外部に格納されたコンテンツへの埋め込みリンクを含むポッドキャストを前記移動端末に格納し、
前記移動端末のユーザインタフェースの構成に応じて、前記埋め込みリンクの活性化を制御する
ことを特徴とする方法。
【請求項９】
請求項７または８に記載の方法を実行することを特徴とする移動端末。
【請求項１０】
コンピュータ可読媒体上で実現される、請求項７または８の方法を実行するためのコンピュータプログラムコードを含んだ、コンピュータプログラムコードを含むコンピュータプログラム。
【国際調査報告】
2009521835.tif 000011
2009521835.tif 000012
2009521835.tif 000013